(57)【要約】      （修正有）【課題】お店への顧客の来店確率を高めて店での商品の販売促進が可能となる集客販売促進システムを提供する。【解決手段】イベント案内を採用し、このイベント案内に鍵１をはめ込みあるいは張り付けたり、添付して封筒で店が来客を希望する顧客宛に、送付する。イベント案内にはポスティングやダイレクトメールなどの送り先が印刷もしくは貼付されあるいは張り付け可能で（ポスティングでは送り先はなくても良い。）、さらに店の案内情報を備え、店が来客を希望する顧客宛に、イベント案内をポスティングやダイレクトメールなど（ゆうメールなども含むが以後総称してポスティングやダイレクトメールなどとする。）を用いて送付する。イベント案内の送付を受けた顧客は、店（常設店舗でもよいが、特設会場等も店とする。）に鍵１を持参し、鍵１を使って宝箱４を店で開け、所定の来店記念品５を持ち帰ることができるようにして、来客率を高め集客を行うシステム。【選択図】図３
0003210419.tif 000002
【実用新案登録請求の範囲】
【請求項１】
販売促進をする商品の情報と販売店の情報と客が持ち帰りできる来店記念品の案内とが添付されまたは印刷されたイベント案内と、
前記イベント案内手段に張り付けあるいは添付される鍵と、
前記イベント案内と前記鍵とが収納されもしくは貼り付けられて来客を希望する顧客宛に送付または配達するための封筒または台紙と、
前記鍵を差し込み開けることができ、客が持ち帰りできる来店記念品を収納した宝箱と、を含む鍵を用いた集客販売促進システム。
【請求項２】
請求項１に記載の集客販売促進システムであって、前記システムは前記鍵を差し込み開けることができる宝箱が複数個により構成され、前記複数個の宝箱にはそれぞれ内容が異なる来店記念品が収納されている、集客販売促進システム。
【考案の詳細な説明】
【技術分野】
【０００１】  本考案は、新聞への折込や、直接配送・ポスティングやダイレクトメールなどを用いてイベント案内を送付するための集客販売促進システムに関し、木製や段ボール製の宝箱に顧客が持ち帰ることができる来店記念品を収納し、顧客が店へ来た時に送られた鍵を差し込み宝箱を開けて、用意した所定の持ち帰り来店記念品を持ち帰ることができるように構成され、顧客の店への来客を案内促進する集客販売促進システムに関するものである。
【背景技術】
【０００２】  ポスティングやダイレクトメールなど、あるいは宅配便などを用いて商品の販売店への集客販売促進を案内、促進する集客販売促進システムは従来から存する（たとえば特許文献１）。このような集客販売促進システムにおいては、来店率を高めるために、詰め放題用の箱や袋を送付し、店への来客時に顧客に販売促進品たとえば栗や菓子等を当該箱や袋に詰め放題に詰めて持帰る集客システムが存在する。
【先行技術文献】
【０００３】
【特許文献１】特許第４６２６８３６号公報
【考案の概要】
【考案が解決しようとする課題】
【０００４】  従来の集客販売促進システムにおいては、店への来客確率が高まり、特に顧客の店における滞在時間が長くなり、店での商品の販売が促進されるという優れた効果があるものの、来店時の面白さや興味などの期待感を高めるという効果が充分あるとは言えないという課題があった。イベント案内を送った顧客の来客数が増加し滞在時間が増えると、販売額は上昇すると考えられている。【０００５】  本考案は、このような集客販売促進システムにおける店への顧客の来客率を上昇させるという課題を解決し、顧客に興味を与えて集客率を高めることが可能な集客販売促進システムを提供することを目的とする。
【課題を解決するための手段】
【０００６】  上記課題を解決するため、本考案の集客販売促進システムの構成は、販売促進をする商品の情報と販売店の情報と客が持ち帰りできる来店記念品の案内とが添付されまたは印刷されたイベント案内と、
前記イベント案内手段に張り付けあるいは添付される鍵と、
前記イベント案内と前記鍵とが収納されもしくは貼り付けられて来客を希望する顧客宛に送付または配達するための封筒または台紙と、
前記鍵を差し込み開けることができ、客が持ち帰りできる来店記念品を収納した宝箱と、を含む構成を備える。【０００７】  さらに本考案の鍵を用いた集客システムにおいては、前記鍵を差し込み開けることができる宝箱を複数用意しておき（宝箱を隠して探すような仕組みにしても良い）、来店した顧客がどの宝箱を鍵で開けるかを選択することができるように構成され、前記複数個の宝箱にはそれぞれ内容が異なる来店記念品が収納され、予測ができない記念品の持ち帰りがより一層集客効果を生むようにすることもできる。
【考案の効果】
【０００８】  本考案によれば、鍵を、店が来客を見込む顧客宛にポスティングやダイレクトメール・宅配便などを用いて送付し、鍵の送付を受けた顧客が店へ来客した際、持参した鍵を用いて店が用意した宝箱４用の宝箱を（選んでも良い）開け、入っている所定の来店記念品を持ち帰ることができるようにしているので、単に来店記念品を持ち帰る等の場合に比べて宝箱４の面白さで興味が増し来店率が向上し、また滞在時間を長く保つことが出来るので商品の販売促進が可能となる。
【図面の簡単な説明】
【０００９】
【図１】本考案の実施例におけるポスティングやダイレクトメールなどを用いて送付する鍵の平面図である。
【図２】（ａ）本考案の同実施例におけるポスティング用のイベント案内と封筒と鍵を送る状態を説明する説明図、（ｂ）同実施例におけるダイレクトメール用のイベント案内の概要を示す図である。
【図３】（ａ）同実施例における鍵で開ける宝箱の斜視図、（ｂ）同実施例における来店記念品を収納した状態の宝箱の要部拡大斜視図である。
【考案を実施するための形態】
【実施例】
【００１０】  本考案の実施例を図１〜３により説明する。図１は本実施例におけるポスティングやダイレクトメールなどを用いて送付する鍵の平面図である。本考案の実施例における鍵１は、ポスティングやダイレクトメールなどを用いた集客販売促進システムに使用できるように、段ボール製あるいはボール紙に鍵の図柄が印刷され、鍵の形をなしている。この鍵１は、他にアルミ製等の金属で成形されたものであっても良い。本考案の実施例における販売促進システムでは、前記鍵１は、イベント案内２とともに来店を希望する顧客宛に送付・配達される。イベント案内２には、販売促進をしようとする商品（携帯電話や住宅、洋服等）の情報、販売店やイベント会場の地図や名前、開催期間・時間等の情報、客が鍵を使ってイベントに参加する方法、持ち帰りできる来店記念品の案内などがボール紙やチラシ紙に添付されまたは印刷されている。【００１１】  この鍵１は、イベント案内２にテープで貼り付けても良いし、送付するための封筒３にイベント案内２とともに同封しても良い。イベント案内２の中に埋め込まれて、後で切り抜いて鍵１を取り出せるようにしても良い。送付を受けた顧客は、店やイベント会場に来客する際に、鍵１を持参し、この鍵１を用いて店が用意した宝箱４を開ける。宝箱４は、鍵１を差し込めるように鍵穴４Ｈが設けられており、鍵１を鍵穴４Ｈに差し込み、宝箱４を開ける。宝箱４には予め店が用意した来店記念品５が収納されている。このような前記鍵１により開けることができる宝箱４は複数用意されており、来店した顧客がどの宝箱４を鍵１で開けるかを選択することができる。前記複数個の宝箱４にはそれぞれ内容が異なる（同じ内容で量が異なったり、内容の組み合わせが異なる場合もある）来店記念品５（図３（ｂ）では菓子）が収納され、開けるまで内容が予測できない色々な来店記念品５の持ち帰りができて楽しめることで、集客効果を生むようにしている。【００１２】  図３（ａ）は鍵１で開ける宝箱４の斜視図であり、図３（ｂ）に示すように来店記念品５（図３（ｂ）では菓子）を収納している。顧客が持帰る前記来店記念品５が収納されているので、顧客は、その中から希望のものを選んで決められた数だけ持ち帰ることができる。鍵１によって顧客が持帰る前記来店記念品５の種類が異なることは前述したが、持ち帰りできる数自体も宝箱４により異なるようにしてもよく、さらには、鍵１の形状によって開けることができる宝箱４が異なるようにして、宝箱４もさまざまに設計されたものであってよい。【００１３】  イベント案内２には、図２に示すように店であらかじめ用意した宝箱４を鍵１で開けることができる旨の説明や持ち帰る来店記念品５の説明が印刷されている。所定の持ち帰り来店記念品５は、本実施例では、キッチン用品、お掃除用品、お菓子、金の延べ棒を形取ったティッシュ、ジャガイモ、金の延べ棒を形取ったチョコレート、栗、花、マニキュア等を店（常設店あるいは特別会場もここでは店とする）が用意している。所定の持ち帰り来店記念品５としては、他に、あめ、装飾品、化粧品、野菜、みかんなどの果物等を適宜選択し、店で用意する。準備総数は、イベント案内の送付総枚数と店への顧客の来客予想率とから算出さ���る数をもとに準備される。【００１４】  図２（ａ）は、ポスティング用のイベント案内２と封筒３の平面図を示し、（ｂ）はダイレクトメール用のイベント案内２の平面図である。イベント案内２には、販売促進のための商品の情報（携帯電話や、住宅、呉服、洋服、宝石、乗用車等）に関する売り出しの展示会等の案内や、展示会を行う店、販売店の案内情報（開催日時、場所、地図等）が直接印刷されていても良いし、あるいはこれらの情報は別の案内状に印刷されイベント案内や紙と共に、顧客に送付されあるいは折り込みチラシとして配布される。集客システムにおいては、ポスティングやダイレクトメール等の送り先も、イベント案内に印刷され、ポスティングやダイレクトメールなどや宅配便で顧客に送付されあるいは折新聞の折り込みチラシとして配布される。【００１５】  鍵１を用いたこのようなポスティングやダイレクトメールなどや折り込みチラシを用いた集客販売促進システムでは、顧客は、イベント案内２と鍵１を受取り、持参して来客するので、宝箱４を開けてどのようなものがもらえるのか興味が高まり、顧客の店への来客の案内促進が図れることとなり、店での商品の販売促進が進む。
【産業上の利用可能性】
【００１６】  本考案は、従来の課題であった集客と販売促進の効果的なシステムであり、携帯電話、住宅販売、車、宝石、着物などの高額商品を対象にする場合に効果的に使用可能である。
【符号の説明】
【００１７】１  鍵、
２  イベント案内、
３  封筒、
４  宝箱、
４Ｈ  宝箱の鍵穴（差し込み口）、
５  来店記念品。
【図１】
0003210419.tif 000003
【図２】
0003210419.tif 000004
【図３】
0003210419.tif 000005
【手続補正書】
【提出日】平成29年2月28日(2017.2.28)
【手続補正１】
【補正対象書類名】実用新案登録請求の範囲
【補正対象項目名】全文
【補正方法】変更
【補正の内容】
【実用新案登録請求の範囲】
【請求項１】
販売促進をする商品の情報と販売店の情報と客が持ち帰りできる来店記念品の案内とが添付されまたは印刷されたイベント案内と、
前記イベント案内に張り付けあるいは添付される鍵と、
前記イベント案内と前記鍵とが収納されもしくは貼り付けられて来客を希望する顧客宛に送付または配達するための封筒または台紙と、
前記鍵により開けることができるとともに客が持ち帰りできる来店記念品を収納した宝箱と、を含む鍵を用いた集客販売促進システム。
【請求項２】
請求項１に記載の集客販売促進システムであって、前記システムは前記鍵により開けることができる宝箱が複数個により構成され、前記複数個の宝箱にはそれぞれ内容が異なる来店記念品が収納されている、集客販売促進システム。